(57)【特許請求の範囲】
【請求項１】
一端が帽子側に固定された１本の紐（１４）と、この紐の他端に取り付けられた襟捕捉具（１６）と、前記紐の両端の途中に設けた紐の曲げ角度調節具（１５）とからなる帽子脱落防止具において、
前記紐の曲げ角度調節具（１５）は、三日月型の穴（１８）と湾曲した穴（１９）を有する合成樹脂製部材であって、帽子に固定された部材（１７）を有することを特徴とする、帽子脱落防止具。
【請求項２】
一端が帽子側に固定された１本の紐（２４）と、この紐の他端に取り付けられた襟捕捉具（２６）と、前記紐の両端の途中に設けた紐の曲げ角度調節具（２５）とからなる帽子脱落防止具において、
前記紐の曲げ角度調節具（２５）は、少なくとも１個の孔（２８）を有する合成樹脂製部材であって、帽子に固定された部材（２７）と回動部材（２１）とが回転軸（２２）により連結されていることを特徴とする、帽子脱落防止具。
【請求項３】
請求項１又は２記載の帽子脱落防止具を備えた帽子。
【発明の詳細な説明】
【０００１】
【発明の属する技術分野】
本発明は帽子、特に縁が一部分しかない野球帽タイプの帽子、の脱落を防止する器具及びその器具を有する帽子に関するものである。
【０００２】
【従来の技術】
突風を受けたり、激しい運動をしたり、自転車に乗ったりしているときに、帽子が脱げて落ちることは誰でも経験している。すぐに拾える場合はよいが、交通量の多い道路や手の届かないところに落ちた場合などには拾うのをあきらめなければならないこともある。
【０００３】
この問題を解決するために、必要なときに両端に洗濯ばさみを有する器具で帽子と上着の襟をつなぐことが考えられている。
【０００４】
【発明が解決しようとする課題】
そのような分離型の連結具はいざというときに紛失したりして役に立たないことが多い。本発明は、帽子と上着の襟を連結するための器具であって、帽子に常設されているものを提供することを目的とする。本発明はまたそのような帽子も提供する。
【０００５】
【課題を解決するための手段】
本発明に係る帽子脱落防止具は、一端が帽子側に固定された１本の紐と、この紐の他端に取り付けられた襟捕捉具と、前記紐の両端の途中に設けた紐の曲げ角度調節具とからなる帽子脱落防止具において、前記紐の曲げ角度調節具は、三日月型の穴と湾曲した穴を有する合成樹脂製部材であって、帽子に固定された部材を有することを特徴とする。
【０００６】
別の観点では、一端が帽子側に固定された１本の紐と、この紐の他端に取り付けられた襟捕捉具と、前記紐の両端の途中に設けた紐の曲げ角度調節具とからなる帽子脱落防止具において、前記紐の曲げ角度調節具は、少なくとも１個の孔を有する合成樹脂製部材であって、帽子に固定された部材と、回動部材とが回転軸により連結されていることを特徴とする。
さらに、本発明はそのような帽子脱落防止具を有することを特徴とする帽子でもある。 
【０００７】
【実施例と参考例】
以下、添付の図面に基づき、本発明の実施例と参考例を説明する。
【０００８】
参考例１
図１は、本発明の第１参考例に係る器具１付きの帽子２を着用している人の後頭部を示している。この器具は野球帽タイプの帽子の後ろのサイズ調節部３に取り付けるのが好ましい。
【０００９】
この器具は、１本の紐４と、この紐の曲げ角度調節部５と、前記紐の一端に取り付けられる襟捕捉具６からなる。
【００１０】
紐４は、リボンのように幅広のものが好ましく、一端４ａが帽子側に縫合などにより固定され、他端４ｂに襟捕捉具６が取り付けられる。紐の中間に紐の曲げ角度調節部５が取り付けられ、紐を約９０〜１８０度旋回させる。
【００１１】
曲げ角度調節部５は帽子５に設けた１個の孔である。孔は鳩目などで補強するのが好ましい。
【００１２】
襟捕捉具６は、洗濯ばさみにようなものであり、要するに、開口して襟を鋏み、閉じて襟を掴んだ状態を維持し、また開口して襟を離すものである。図示したタイプの他、襟を掴み、開放する機能があるものであればどのようなものでもかまわない。
【００１３】
本器具の使用法は、以上の説明からすでに明らかなように、帽子着用時に帽子側に常時取り付けられた本器具の襟捕捉具６で襟をつまみ、掴んだ状態を維持するだけでよい。もし、風のない穏やかな日で帽子が脱げ落ちる心配のないときには、紐の曲げ角度調節部５で紐を１８０度曲げて、襟捕捉具６で再び帽子をつまみ、掴んだ状態を維持すればよい。
【００１４】
実施例１
図２は、本発明の第１実施例に係る器具１１付きの帽子１２を着用している人の後頭部を示している。本発明の器具は野球帽タイプの帽子の後ろのサイズ調節部１３に取り付けるのが好ましい。
【００１５】
図３において、より明瞭に示すように、この器具は、１本の紐１４と、この紐の曲げ角度調節具１５と、前記紐の一端に取り付けられる襟捕捉具１６からなる。
【００１６】
紐１４は、リボンのように幅広のものが好ましく、一端１４ａが帽子側に縫合などにより固定され、他端１４ｂに襟捕捉具１６が取り付けられる。紐の中間に紐の曲げ角度調節具１５が取り付けられ、紐を約９０〜１８０度旋回させる。
【００１７】
紐の曲げ角度調節具１５は、図４に示すように、合成樹脂製のほぼ扇状の部材で、帽子に縫いつけるための縫い代部分１７が扇の側部から突出している。この縫い代部分１７は、縫い糸で縫合しやすいように、他の部分に比べて薄く形成されている。紐の曲げ角度調節具１５には、紐を仮固定し、旋回角度を変更するため２個の穴が設けられている。即ち、扇の要側に三日月型の穴１８が、その外方に円弧輪郭線のような湾曲した穴１９が設けられている。後者の湾曲穴１９には紐が通りやすいように、傾斜部１９ａが設けられている。
【００１８】
襟捕捉具１６は、洗濯ばさみにようなものであり、要するに、開口して襟を鋏み、閉じて襟を掴んだ状態を維持し、また開口して襟を離すものである。図示したタイプの他、襟を掴み、開放する機能があるものであればどのようなものでもかまわない。
【００１９】
本器具の使用法は、以上の説明からすでに明らかなように、帽子着用時に帽子側に常時取り付けられた本器具の襟捕捉具１６で襟をつまみ、掴んだ状態を維持するだけでよい。もし、風のない穏やかな日で帽子が脱げ落ちる心配のないときには、紐の曲げ角度調節具１５で紐を１８０度曲げて、襟捕捉具１６で再び帽子をつまみ、掴んだ状態を維持すればよい。図３の想像線に示すように、紐の角度調節具の湾曲穴１９はそのような１８０度の曲げも可能とする。
【００２０】
実施例２
図５は本発明に係る器具の別の実施例である。
この器具は、１本の紐２４と、この紐の曲げ角度調節具２５と、前記紐の一端に取り付けられる襟捕捉具２６からなる。
【００２１】
紐２４は、リボンのように幅広のものが好ましく、一端２４ａが帽子側に縫合などにより固定され、他端２４ｂに襟捕捉具２６が取り付けられる。紐の中間に紐の曲げ角度調節具２５が取り付けられ、紐を約９０〜１８０度旋回させる。
【００２２】
紐の曲げ角度調節具２５は、扇状の回動部材２１と、帽子に縫いつけるための縫い代部分２７を有する基部２３と、回動部材を回動させるための回転軸２２からなる。縫い代部分２７は、縫い糸で縫合しやすいように、他の部分に比べて薄く形成されている。紐の曲げ角度調節具２５には、紐を仮固定し、旋回角度を変更するため１個の穴２８が設けられている。
【００２３】
襟捕捉具２６は、洗濯ばさみにようなものであり、要するに、開口して襟を鋏み、閉じて襟を掴んだ状態を維持し、また開口して襟を離すものである。図示したタイプの他、襟を掴み、開放する機能があるものであればどのようなものでもかまわない。
【００２４】
本器具の使用法は、以上の説明からすでに明らかなように、帽子着用時に帽子側に常時取り付けられた本器具の襟捕捉具２６で襟をつまみ、掴んだ状態を維持するだけでよい。もし、風のない穏やかな日で帽子が脱げ落ちる心配のないときには、紐の曲げ角度調節具２５で紐を１８０度曲げて、襟捕捉具２６で再び帽子をつまみ、掴んだ状態を維持すればよい。図５の想像線に示すように、紐の角度調節具の穴２８はそのような１８０度の曲げも可能とする。符号２９は紐の長さ調節具であり、これにより紐の長さを調節することができる。紐の長さ調節具２９自体は周知であるので、詳細な説明を省略する。
【００２５】
参考例２
図６は第２参考例の器具付きの帽子を着用している人の後頭部を示している。
【００２６】
この器具は、１本の紐３４と、この紐の仮止め具３５と、前記紐の一端に取り付けられる襟捕捉具３６からなる。
【００２７】
紐３４は、両端３４ａ，３４ｂが帽子の左右下端に縫合などにより固定され、中央部３４ｃに襟捕捉具３６が取り付けられる。紐３４は連続した１本のものでもよいし、中央部で区切って、２本使用してもよい。
【００２８】
仮止め具３５は紐の乱れを防止するもので、紐に沿ってスライド移動可能であり、紐の長さ調節を行うことができる。この仮止め具自体は周知であるので、詳細な説明を省略する。
【００２９】
襟捕捉具３６は、洗濯ばさみにようなものであり、要するに、開口して襟を鋏み、閉じて襟を掴んだ状態を維持し、また開口して襟を離すものである。図示したタイプの他、襟を掴み、開放する機能があるものであればどのようなものでもかまわない。
【００３０】
本器具の使用法は、以上の説明からすでに明らかなように、帽子着用時に帽子側に常時取り付けられた本器具の襟捕捉具３６で襟をつまみ、掴んだ状態を維持するだけでよい。もし、風のない穏やかな日で帽子が脱げ落ちる心配のないときには、襟捕捉具３６で再び帽子をつまみ、掴んだ状態を維持すればよい。
【００３１】
【発明の効果】
本発明によれば、突風を受けたり、激しい運動をしたり、自転車に乗ったりしているときでも、帽子が脱げ落ちることはない。また分離型の同種器具と異なり、帽子に常時取り付けられているので、紛失することがない。また、この器具を使用しないときには、帽子側に収容できるので、目障りとはならない。
【図面の簡単な説明】
【図１】第１参考例器具付きの帽子を着用している人の後頭部を示している。
【図２】本発明の第１実施例器具付きの帽子を着用している人の後頭部を示している。
【図３】本発明第１実施例の器具の正面図である。
【図４】図３（ｂ）は第１実施例の角度調節具の正面図、図３（ａ）は図３（ｂ）のＡ−Ａ端面図、図３（ｃ）は側面図である。
【図５】本発明第２実施例の器具の正面図である。
【図６】第２参考例の器具付きの帽子を着用している人の後頭部を示している。
【符号の説明】
４，１４，２４，３４ 紐
５，１５，２５，３５ 紐の曲げ角度調節具
６，１６，２６，３６ 襟捕捉具
【図１】
0003592947.tif 000002
【図２】
0003592947.tif 000003
【図３】
0003592947.tif 000004
【図４】
0003592947.tif 000005
【図５】
0003592947.tif 000006
【図６】
0003592947.tif 000007